【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
軸肥大加工機における金属軸材または金属管材であるワークを保持するチャック装置において、略筒状のチャック本体の軸心上の空孔部に、ワークを挟持するための保持溝が設けられた複数のスリーブ片からなるスリーブをスリーブ片の保持溝にて一つの保持穴を形成した状態で嵌め合わせ、前記チャック本体に回転可能に設けたカム軸を回転させてカム軸のカム片をスリーブ片に設けた溝部にかけることで、チャック本体の空孔部の軸心方向にスリーブがスライドするようにするとともに、チャック本体に対してスリーブが抜け止めされた上体となるように構成し、さらに、チャック本体の空孔部及びスリーブのスリーブ片にテーパー部を設け、前記カム軸の操作により、チャック本体のテーパー部に沿ってスリーブがスライドし、ワークを前記保持溝にて確実に挟持するように構成したことを特徴とするチャック装置。
【請求項２】
軸肥大加工機における金属軸材または金属管材であるワークを保持するチャック装置において、略筒状のチャック本体の軸心上の空孔部と連続して設けられた穴部に、ワークを挟持するための保持溝が設けられた固定スリーブと少なくとも一つの可動スリーブからなるスリーブを配設するとともに、前記穴部内にて回動可能な前記可動スリーブを前記固定スリーブと可動スリーブの保持溝にて一つの保持穴を形成した状態で締付可能な少なくとも一つの締付手段を設け、該締付手段にて前記スリーブ内のワークを前記保持溝に確実に挟持させるようにしたことを特徴とするチャック装置。
【請求項３】
軸肥大加工機における金属軸材または金属管材であるワークを保持するチャック装置において、略筒状のチャック本体の軸心上の空孔部と連続して設けられた穴部に、ワークを挟持するための保持溝が設けられた複数の可動スリーブからなるスリーブを配設するとともに、前記穴部内にて回動可能な前記可動スリーブを前記保持溝にて一つの保持穴を形成した状態で締付可能な複数の締付手段を設け、該締付手段にて前記スリーブ内のワークを前記保持溝に確実に挟持させるようにしたことを特徴とするチャック装置。
【手続補正２】
【補正対象書類名】明細書
【補正対象項目名】０００６
【補正方法】変更
【補正の内容】
【０００６】
請求項１の発明は、軸肥大加工機における金属軸材または金属管材であるワークを保持するチャック装置において、略筒状のチャック本体の軸心上の空孔部に、ワークを挟持するための保持溝が設けられた複数のスリーブ片からなるスリーブをスリーブ片の保持溝にて一つの保持穴を形成した状態で嵌め合わせ、前記チャック本体に回転可能に設けたカム軸を回動させてカム軸のカム片をスリーブ片に設けた溝部にかけることで、チャック本体の空孔部の軸心方向にスリーブがスライドするようにするとともに、チャック本体に対してスリーブが抜け止めされた状態となるように構成し、さらに、チャック本体の空孔部及びスリーブのスリーブ片にテーパー部を設け、前記カム軸の操作により、チャック本体のテーパー部に沿ってスリーブがスライドし、ワークを前記保持溝にて確実に挟持するように構成したことを特徴とする。
請求項２の発明は、軸肥大加工機における金属軸材または金属管材であるワークを保持するチャック装置において、略筒状のチャック本体の軸心上の空孔部と連続して設けられた穴部に、ワークを挟持するための保持溝が設けられた固定スリーブと少なくとも一つの可動スリーブからなるスリーブを配設するとともに、前記穴部内にて回動可能な前記可動スリーブを前記固定スリーブと可動スリーブの保持溝にて一つの保持穴を形成した状態で締付可能な少なくとも一つの締付手段を設け、該締付手段にて前記スリーブ内のワークを前記保持溝に確実に挟持させるようにしたことを特徴とする。
請求項３の発明は、軸肥大加工機における金属軸材または金属管材であるワークを保持するチャック装置において、略筒状のチャック本体の軸心上の空孔部と連続して設けられた穴部に、ワークを挟持するための保持溝が設けられた複数の可動スリーブからなるスリーブを配設するとともに、前記穴部内にて回動可能な前記可動スリーブを前記保持溝にて一つの保持穴を形成した状態で締付可能な複数の締付手段を設け、該締付手段にて前記スリーブ内のワークを前記保持溝に確実に挟持させるようにしたことを特徴とする。
【手続補正３】
【補正対象書類名】明細書
【補正対象項目名】０００７
【補正方法】変更
【補正の内容】
【０００７】
請求項１の発明によれば、略筒状のチャック本体の軸心上の空孔部に、ワークを挟持するための保持溝が設けられた複数のスリーブ片からなるスリーブをスリーブ片の保持溝にて一つの保持穴を形成した状態で嵌め合わせるようにした。また、前記チャック本体に回転可能に設けたカム軸を回動させてカム軸のカム片をスリーブ片に設けた溝部にかけることで、チャック本体の空孔部の軸心方向にスリーブがスライドするようにするとともに、チャック本体に対してスリーブが抜け止めされた状態となるように構成した。さらに、チャック本体の空孔部及びスリーブのスリーブ片にテーパー部を設け、前記カム軸の操作により、チャック本体のテーパー部に沿ってスリーブがスライドし、ワークを前記保持溝にて確実に挟持するように構成した。
これによると、チャック本体の空孔部とスリーブのスリーブ片にテーパー部を設けたことと、カム軸の操作にてスリーブをチャック本体の空孔部の軸心方向にスライドさせるとともに、スリーブのチャック本体に対する抜け止めまたは抜け止め解除を行うようにしたことで、スリーブの取付け及び取外しを簡単に行える。また、肥大部を有するワークであっても簡単にスリーブにて確実に挟持させることができる。さらに、直径の異なるワークを続けて加工する際に、スリーブの取替えを簡単に行うことができる。
【手続補正４】
【補正対象書類名】明細書
【補正対象項目名】０００８
【補正方法】変更
【補正の内容】
【０００８】
請求項２の発明によれば、略筒状のチャック本体の軸心上の空孔部と連続して設けられた穴部に、ワークを挟持するための保持溝が設けられた固定スリーブと少なくとも一つの可動スリーブからなるスリーブを配設した。また、前記穴部内にて回動可能な前記可動スリーブを前記固定スリーブと可動スリーブの保持溝にて一つの保持穴を形成した状態で締付可能な少なくとも一つの締付手段を設け、該締付手段にて前記スリーブ内のワークを前記保持溝に確実に挟持させるようにした。
これによると、スリーブを可動スリーブと固定スリーブから構成したことと、締付手段にてスリーブの可動スリーブの締付状態と回動可能状態の切替えを行えることで、可動スリーブを回動可能状態としたときに、可動スリーブを回動させることで可動スリーブと固定スリーブとの間に空間部を形成することができる。これによって、ワークをスリーブから簡単に取外すことができる。さらに、肥大部を有するワークであってもその肥大部をチャック装置内部または加工機のスピンドル内部に位置させて当該ワークをスリーブの保持溝に配設することができるとともに、締付手段にて可動スリーブを締め付けると、ワークをスリーブにて確実に挟持させることができる。
すなわち、このチャック装置は、チャック装置の構成部材をチャック本体から取外すことなく、ワークをチャック装置へ保持させる作業及びワークをチャック装置から取外す作業を簡単に行うことができる。
また、スリーブを可動スリーブと固定スリーブから構成したことで、ワークをスリーブに挟持させる際に、ワークの肥大させたい部分を固定スリーブの前端部に位置合わせしやすく、スリーブにてワークの所望の挟持位置を簡単に挟持させることができる。
【手続補正５】
【補正対象書類名】明細書
【補正対象項目名】０００９
【補正方法】変更
【補正の内容】
【０００９】
請求項３の発明によれば、略筒状のチャック本体の軸心上の空孔部と連続して設けられた穴部に、ワークを挟持するための保持溝が設けられた複数の可動スリーブからなるスリーブを配設した。また、前記穴部内にて回動可能な前記可動スリーブを前記保持溝にて一つの保持穴を形成した状態で締付可能な複数の締付手段を設け、該締付手段にて前記スリーブ内のワークを前記保持溝に確実に挟持させるようにした。
これによると、スリーブを複数の可動スリーブから構成したことと、締付手段にてスリーブの可動スリーブの締付状態と回動可能状態の切替えを行えることで、可動スリーブを回動可能状態としたときに、可動スリーブを回動させることで各可動スリーブ間に空間部を形成することができる。これによって、ワークをスリーブから簡単に取外すことができる。さらに、肥大部を有するワークであってもその肥大部をチャック装置内部または加工機のスピンドル内部に位置させて当該ワークをスリーブの保持溝に配設することができるとともに、締付手段にて可動スリーブを締め付けると、ワークをスリーブにて確実に挟持させることができる。
すなわち、このチャック装置は、チャック装置の構成部材をチャック本体から取外すことなく、ワークをチャック装置へ保持させる作業及びワークをチャック装置から取外す作業を簡単に行うことができる。
また、スリーブを複数の可動スリーブにて構成したことから、請求項２に記載のチャック装置のスリーブに比べ、可動スリーブ間に形成できる空間部を大きくすることができ、請求項２に記載のチャック装置に比べて、大きな肥大部を有するワークをスリーブにて挟持させることが可能である。
【手続補正６】
【補正対象書類名】明細書
【補正対象項目名】００１０
【補正方法】変更
【補正の内容】
【００１０】
軸肥大加工機における金属軸材または金属管材であるワークを保持するチャック装置において、略筒状のチャック本体の空孔部に、ワークを挟持するための保持溝が設けられた複数のスリーブ片からなるスリーブをスリーブ片の保持溝にて一つの保持穴を形成した状態で嵌め合わせるようにする。また、前記チャック本体に回転可能に設けたカム軸を回動させてカム軸のカム片をスリーブ片に設けた溝部にかけることで、チャック本体の空孔部の軸心方向にスリーブがスライドするようにするとともに、チャック本体に対してスリーブが抜け止めされた状態となるように構成する。さらに、チャック本体の空孔部及びスリーブのスリーブ片にテーパー部を設け、前記カム軸の操作により、チャック本体のテーパー部に沿ってスリーブがスライドし、ワークを前記保持溝にて確実に挟持するように構成する。
【手続補正７】
【補正対象書類名】明細書
【補正対象項目名】００１４
【補正方法】変更
【補正の内容】
【００１４】
まず、チャック本体２は、第２図及び第３図に示すように、前後方向の軸心上に空孔部２ａが設けられた略筒状の形状をしており、その空孔部２ａの前部には後述するスリーブ３のテーパー部６ｂ，６ｂが嵌め合わされるテーパー部２ｂが設けられ、中間部には後述するスリーブ３の後部が嵌め合わされる矩形部２ｃが設けられている。さらに、空孔部２ａの後部には加工機ＭのスピンドルＳに嵌め合わされる段付部２ｄが設けられ、チャック本体２の前部側面には後述するカム軸４，４を装填するための空孔部２ｅ，２ｅが設けられている。
【手続補正８】
【補正対象書類名】明細書
【補正対象項目名】００１６
【補正方法】変更
【補正の内容】
【００１６】
次に、スリーブ３は、第２図及び第３図に示すように、二つのスリーブ片６，６からなり、これらスリーブ片６，６は同一形状である。以下、一つのスリーブ片６について説明する。このスリーブ片６は、略筒部材を前後方向に半分に切断した形状であり、ワークＷを挟持するための保持溝６ａが前後方向に設けられている。また、スリーブ片６の前記保持溝６ａが設けられている面を除く前部外周には前記チャック本体２のテーパー部２ｂに嵌め合わされるテーパー部６ｂが設けられ、その中間部から後部外周は前記チャック本体２の矩形部２ｃに嵌め合わせ可能に略矩形状に構成されるとともに、その中間部の上下面には溝部６ｃ，６ｃが設けられている。
このように構成されたスリーブ片６，６は、第２図の（ａ）図に示すように、保持溝６ａ，６ａが設けられている面を二つの保持溝６ａ，６ａで一つの保持孔Ｈ１を形成するように合わせ、前記チャック本体２に前側から嵌め込まれる。このとき、カム軸４，４のカム片４ａ，４ａは、第３図の（ａ）図に示すように、スリーブ３と接触しない状態に回動されている。また、チャック本体２の空孔部２ａ内に設けた矩形部２ｃとスリーブ３の後部が嵌め合わされ、スリーブ３がチャック本体２に対して回り止めされた状態で、スリーブ３はチャック本体２に嵌め合わされる。然る後、第２図の（ｂ）図と（ｃ）図及び第３図に示すように、カム軸４，４を回動させると、カム片４ａ，４ａの外側の曲面部４ｄ，４ｄがスリーブ片６，６の溝部６ｃ，６ｃ，・・・の前面から後面へ接触しながら移動する。このように、カム軸４，４のカム片４ａ，４ａがスリーブ片６，６の溝部６ｃ，６ｃ，・・・内で移動することで、スリーブ片６，６が均等にチャック本体２内に引き込まれるとともに、スリーブ片６，６とチャック本体２のテーパー部６ｂ，６ｂ，２ｂがしっかりと嵌め合わされて、スリーブ３はチャック本体２に対してしっかりと抜け止めされる。この際、スリーブ片６，６のテーパー部６ｂ，６ｂがチャック本体２のテーパー部２ｂにしっかりと嵌め合わされることで、二つのスリーブ片６，６がチャック本体２のテーパー部２ｂに沿って引き込まれるようになり、スリーブ片６，６が互いに密着される方向にも移動されるようになるとともに、二つの保持溝６ａ，６ａにて形成される保持孔Ｈ１の前後方向の軸心とチャック本体２の前後方向の軸心が一致された状態で、スリーブ３はチャック本体２に対して抜け止めされる。
すなわち、煩雑にスリーブ３をチャック本体２に嵌め込んだとしても、スリーブ片６，６とチャック本体２のテーパー部６ｂ，６ｂ，２ｂの作用にてスリーブ３はチャック本体２の所定の位置にしっかりと抜け止めできるようにされている。
なお、スリーブ片６，６の保持溝６ａ，６ａは、保持孔Ｈ１を形成した際、該保持孔Ｈ１の直径がワークＷの直径と略一致するように設けられている。
【手続補正９】
【補正対象書類名】明細書
【補正対象項目名】００２０
【補正方法】変更
【補正の内容】
【００２０】
なお、本実施例においては、スリーブ３を二つのスリーブ片６，６からなるように構成しているが、図示はしていないが、三つ以上のスリーブ片からなるようにスリーブを構成しても良い。しかしながら、スリーブのスリーブ片を三つ以上と数を増やしていくにしたがって、スリーブをチャック本体２から取外し、ワークＷの肥大させたい部位をスリーブ片の保持溝にて挟持させる作業が煩雑なものになる。したがって、本実施例のスリーブ３を二つのスリーブ片６，６から構成する形態が最良と考えられる。
また、本実施例においては、スリーブ３のスリーブ片６，６の前後方向中間部から後方を略矩形状とし、その中間部に溝部６ｃ，６ｃ，・・・を設けることで、カム軸４，４のカム片４ａ，４ａと溝部６ｃ，６ｃ，・・・の接触面積を大きくし、スリーブ３をチャック本体２にしっかりと引き込んで抜け止めできるようにしている。さらに、スリーブ片６，６の中間部から後方を矩形状とするとともに、チャック本体２の空孔部２ａ内に矩形部２ｃを設けることで、スリーブ３のチャック本体２に対する回り止めができるようにしている。しかしながら、スリーブ片の溝部とカム軸のカム片との接触面積を十分に得ることができるくらいスリーブ片が大きな場合等においては、スリーブ片の中間部から後方の外周形状を多角形状としても何ら問題はなく、この場合は、チャック本体の空孔部内に多角形状の部位を設ければよい。すなわち、チャック本体の空孔部内は、スリーブをしっかりと嵌め合わせできる形状かつスリーブのチャック本体に対する回り止めをしっかりと行える形状とすれば良い。
さらに、本実施例においては、チャック本体２の空孔部２ａの後部に段付部２ｄを設けて、加工機ＭのスピンドルＳに嵌め合わせを行いやすくしている。すなわち、チャック本体２の段付部２ｄの形状はスピンドルＳの形状に応じて変更すべきものであり、スピンドルＳからの回転力がチャック装置にしっかりと伝達される形状であることが望ましい。
【手続補正１０】
【補正対象書類名】明細書
【補正対象項目名】００２３
【補正方法】変更
【補正の内容】
【００２３】
まず、チャック本体９は、第７図に示すように、前後方向前面から中間部まで達する後述するスリーブ１２及び締付手段１３が配設される穴部９ａが設けられるとともに、該穴部９ａ後端面から後面まで貫通する空孔部９ｂが前後方向の軸心上に設けられた略筒状の形状をしており、前部側面には前記穴部９ａまで達する側穴部９ｃが設けられている。さらに、前記空孔部９ｂ後部には加工機ＭのスピンドルＳに嵌め合わされる段付部９ｄが設けられている。また、チャック本体９にはチャック装置８を組み立てた際、チャック本体９の前後方向の軸心を中心にチャック装置８の重量バランスをとるための穴部９ｅ，９ｅが設けられている。
【手続補正１１】
【補正対象書類名】明細書
【補正対象項目名】００２４
【補正方法】変更
【補正の内容】
【００２４】
スリーブ１２は、第７図に示すように、固定スリーブ１０と可動スリーブ１１から構成される。固定スリーブ１０は、略筒部材を前後方向に半分に切断した形状であり、ワークＷを挟持するための保持溝１０ａが前後方向に設けられている。また、可動スリーブ１１は、略筒部材を前後方向に半分に切断した形状の前記固定スリーブ１０の保持溝１０ａと同径の保持溝１４ａが前後方向に設けられたスリーブ片１４とアーム１５からなり、前記スリーブ片１４の保持溝１４ａが設けられていない側面に前記アーム１５の一端が固着され、アーム１５の他端には前後方向の軸心を有する軸部材１６が固着されている。また、スリーブ片１４のアーム１５取付け面には溝部１４ｂが設けられるとともに、該溝部１４ｂ下方のアーム１５側面には略鉤形状の鉤プレート１７が設けられている。
このように構成された固定スリーブ１０はネジ部材１８，１８にて前記チャック本体９の穴部９ａ後端面に止着されるとともに、可動スリーブ１１は軸部材１６が穴部９ａ後端面に設けられた空孔部９ｆにて軸承され、スリーブ１２はチャック本体９に配設される。この際、可動スリーブ１１はチャック本体９の穴部９ａ内で軸部材１６を中心に回動可能に配設される。また、可動スリーブ１１を固定スリーブ１０と接触する方向へ回動させると、可動スリーブ１１と固定スリーブ１０の保持溝１４ａ，１０ａにて一つの保持孔Ｈ２を形成できるように可動スリーブ１１と固定スリーブ１０は配設される。さらに、可動スリーブ１１と固定スリーブ１０の保持溝１４ａ，１０ａで形成された保持孔Ｈ２の前後方向の軸心は前記チャック本体９の前後方向の軸心と一致するように可動スリーブ１１と固定スリーブ１０は配設される。
なお、可動スリーブ１１と固定スリーブ１０の保持溝１４ａ，１０ａは、保持孔Ｈ２を形成した際、該保持孔Ｈ２の直径がワークＷの直径と略一致するよう設けられている。
【手続補正１２】
【補正対象書類名】明細書
【補正対象項目名】００３２
【補正方法】変更
【補正の内容】
【００３２】
まず、チャック本体２３は、第１０図に示すように、前後方向前面から中間部まで達する後述するスリーブ２５及び締付手段２６，２６，２６が配設される穴部２３ａが設けられるとともに、該穴部２３ａ後端面から後面まで貫通する空孔部２３ｂが前後方向の軸心上に設けられた略筒状の形状をしており、前部側面には前記穴部２３ａまで達する側穴部２３ｃ，２３ｃ，２３ｃが設けられている。また、前記空孔部２３ｂ後部には加工機ＭのスピンドルＳに嵌め合わされる段付部２３ｄが設けられている。
【手続補正１３】
【補正対象書類名】明細書
【補正対象項目名】００３３
【補正方法】変更
【補正の内容】
【００３３】
スリーブ２５は、第１０図に示すように、三組の可動スリーブ２４，２４，２４と該可動スリーブ２４，２４，２４を回動可能に前記チャック本体２３に配設するための軸部材２７，２７，２７からなり、三組の可動フレーム２４，２４，２４と軸部材２７，２７，２７はそれぞれ同一形状である。以下、一組の可動スリーブ２４と軸部材２７について説明する。この可動スリーブ２４は、略筒部材を前後方向に三分割した形状のワークＷを挟持するための保持溝２８ａが前後方向に設けられたスリーブ片２８とアーム２９からなり、前記スリーブ片２８の保持溝２８ａが設けられていない側面にアーム２９の一端が固着されるとともに、アーム２９の他端側には前後方向の空孔部２９ａが設けられている。さらに、前記アーム２９の側面には穴部２９ｂが設けられている。また、軸部材２７は棒状の部材であり、その一端部には細径部２７ａが設けられている。
このように構成された軸部材２７，２７，２７を可動スリーブ２４，２４，２４の空孔部２９ａ，２９ａ，２９ａに挿通させるとともに、チャック本体２３の穴部２３ａ後端面に設けられている空孔部２３ｅ，２３ｅ，２３ｅに軸承させることで、スリーブ２５はチャック本体２３に配設される。この際、三つの可動スリーブ２４，２４，２４のスリーブ片２８，２８，２８を互いに接触する方向へ軸部材２７，２７，２７を中心に回動させると、三つの可動スリーブ２４，２４，２４の保持溝２８ａ，２８ａ，２８ａは一つの保持孔Ｈ３を形成するとともに、その保持孔Ｈ３の前後方向の軸心がチャック本体２３の前後方向の軸心と一致するように、三組の可動スリーブ２４，２４，２４と軸部材２７，２７，２７はチャック本体２３に配設される。なお、可動スリーブ２４，２４，２４の保持溝２８ａ，２８ａ，２８ａは、保持孔Ｈ３を形成した際、該保持孔Ｈ３の直径がワークＷの直径と略一致するように設けられている。